(57)【要約】【課題】  宣伝効果の高いエンターテインメントコンテンツを提供するための情報配信装置を実現すること。【解決手段】  予め区分された領域に対応して設定されたエンターテインメントデータと、該領域に対応して設定された広報データとを合成して配信データを生成する配信データ生成手段と、該当する前記領域に前記配信データ生成手段により生成された配信データを配信する配信手段とを構成する。【選択図】  図１
2006107149.tif 000002
【特許請求の範囲】
【請求項１】
予め区分された領域に対応して設定されたエンターテインメントデータと、前記領域に対応して設定された広報データとを合成して配信データを生成する配信データ生成手段と、
該当する前記領域に前記配信データ生成手段により生成された配信データを配信する配信手段とを含んで構成されていることを特徴とする情報配信装置。
【請求項２】
前記領域と料金データとを対応付けて記憶する領域料金記憶手段と、
該領域料金記憶手段に記憶された領域料金データと、配信領域とに基づいて、当該領域に対する配信データの配信に対する料金を算出する料金算出手段とを備えていることを特徴とする請求項１記載の情報配信装置。
【請求項３】
前記領域料金記憶手段には時間帯による領域料金データも記憶され、
前記料金算出手段が、配信データの配信時間帯に応じて料金を算出するものであることを特徴とする請求項２記載の情報配信装置。
【請求項４】
前記領域料金記憶手段には曜日による領域料金データも記憶され、
前記料金算出手段が、配信データの配信曜日に応じて料金を算出するものであることを特徴とする請求項２または請求項３記載の情報配信装置。
【請求項５】
前記領域が、道路の区間により規定されるものであることを特徴とする請求項１〜４のいずれかの項に記載の情報配信装置。
【請求項６】
前記配信手段が、予め区分された領域内を通信可能領域とする複数の領域内通信手段と、
前記配信データを配信領域の前記領域内通信手段から送信させる送信配分手段とを備えていることを特徴とする請求項１〜５のいずれかの項に記載の情報配信装置。
【請求項７】
前記配信手段が、端末からの端末位置情報を受信する端末位置情報受信手段と、
該端末位置情報受信手段により受信した端末位置情報に基づいて該当領域を判別する該当領域判別手段と、
該該当領域判別手段により判別された領域に対応する配信データを前記端末に配信する端末配信手段とを備えていることを特徴とする請求項１〜５のいずれかの項に記載の情報配信装置。
【請求項８】
前記配信データに端末に応じた暗号化処理を施す暗号化処理手段を備えていることを特徴とする請求項７記載の情報配信装置。
【請求項９】
前記配信手段が、目的地までの経路案内を行うナビゲーション装置からの目的地情報を受信する目的地情報受信手段と、
前記目的地情報受信手段を介して受信した目的地情報に基づいて該当領域を判別する該当領域判別手段と、
該該当領域判別手段により判別された領域に対応する配信データを前記ナビゲーション装置に配信するナビ配信手段とを備えていることを特徴とする請求項１〜５のいずれかの項に記載の情報配信装置。
【請求項１０】
前記配信手段が、目的地までの経路案内を行うナビゲーション装置からの目的地までの経路情報を受信する経路情報受信手段と、
該経路情報受信手段により受信した経路情報に基づいて該当領域を判別する該当領域判別手段と、
該該当領域判別手段により判別された領域に対応する配信データを前記ナビゲーション装置に配信するナビ配信手段とを備えていることを特徴とする請求項１〜５のいずれかの項に記載の情報配信装置。
【請求項１１】
通信回線にて接続された端末装置に、配信領域等の配信条件を設定するためのプログラムを送信するプログラム送信手段を備えていることを特徴とする請求項１〜９のいずれかの項に記載の情報配信装置。
【発明の詳細な説明】
【技術分野】
【０００１】
本発明は、自動車に搭載された端末装置や家庭内の端末装置等に、音楽や映像などのエンターテインメントコンテンツを提供するための情報配信装置に関する。
【背景技術】
【０００２】
音楽や映像等の提供は、従来からラジオやテレビ放送で広く行われている。また、最近では、通信環境の向上、例えば通信速度の向上等により音楽や映像等を特定の端末に配信する配信サービスが普及しつつある。
【０００３】
ところで、ラジオやテレビ放送は一般的にスポンサー収入により成り立っているが、放送エリアは広範囲で、スポンサー料金は高額となる。しかし、小規模の企業や店舗にとっては、あまり宣伝効果の見込めないエリアも含めた放送に対する高額のスポンサー料金がネックとなり、放送のスポンサーになりにくいといった課題があった。また、インターネット等を用いた音楽配信についても、音楽等に広告を付加して無料（低額）提供する方法があるが、やはり不特定多数の人に提供することになり、費用に対する効果があまり期待できないといった課題があった。
【特許文献１】特開２００３−１８７１４６号公報
【特許文献２】特開２００２−１１６７６７号公報
【発明の開示】
【課題を解決するための手段及びその効果】
【０００４】
本発明は上記課題を解決するためになされたものであって、宣伝効果の高いエンターテインメントコンテンツを提供するための情報配信装置を実現することを目的としている。
【０００５】
上記目的を達成するために、本発明に係る情報配信装置（１）は、予め区分された領域に対応して設定されたエンターテインメントデータと、前記領域に対応して設定された広報データとを合成して配信データを生成する配信データ生成手段と、該当する前記領域に前記配信データ生成手段により生成された配信データを配信する配信手段とを含んで構成されていることを特徴としている。
【０００６】
上記本発明に係る情報配信装置（１）によれば、特定領域にのみ広告等の広報付エンターテインメントデータを提供できるので、高い広告効果が得られるであろうユーザに対してのみデータ提供を行うことが可能となり、データ提供領域が狭いことから広告主（スポンサー）の広告費用を低く抑えることが可能となる。この結果、情報配信者にとってはスポンサーを集め易くなり、効果的、効率的な配信を実現することができる。
【０００７】
また、本発明に係る情報配信装置（２）は、上記情報配信装置（１）において、前記領域と料金データとを対応付けて記憶する領域料金記憶手段と、該領域料金記憶手段に記憶された領域料金データと、配信領域とに基づいて、当該領域に対する配信データの配信に対する料金を算出する料金算出手段とを備えていることを特徴としている。
上記本発明に係る情報配信装置（２）によれば、配信領域、例えば広さや、人の多さ等に応じた適切な配信料金を設定することが可能となる。
【０００８】
また、本発明に係る情報配信装置（３）は、上記情報配信装置（２）において、前記領域料金記憶手段には時間帯による領域料金データも記憶され、前記料金算出手段が、配信データの配信時間帯に応じて料金を算出するものであることを特徴としている。
上記本発明に係る情報配信装置（３）によれば、配信時間帯、例えば人が多い時間帯の配信等、配信時間帯の特性にも応じた適切な配信料金を設定することが可能となる。
【０００９】
また、本発明に係る情報配信装置（４）は、上記情報配信装置（２）又は（３）において、前記領域料金記憶手段には曜日による領域料金データも記憶され、前記料金算出手段が、配信データの配信曜日に応じて料金を算出するものであることを特徴としている。
上記本発明に係る情報配信装置（４）によれば、曜日、例えばその該当領域に人が多い曜日等、配信する曜日の特性にも応じた適切な配信料金を設定することが可能となる。
【００１０】
また、本発明に係る情報配信装置（５）は、上記情報配信装置（１）〜（４）のいずれかにおいて、前記領域が、道路の区間により規定されるものであることを特徴としている。
上記本発明に係る情報配信装置（５）によれば、道路の区間、例えばその道路の区間の通行量が多い等、道路の区間の特性にも応じた適切な配信料金を設定することが可能となる。また、店舗等にとっては、店舗に立ち寄る可能性が高く、宣伝効果の高い特定の道路区間を通行する自動車の乗員に対して選択的に効率的に広報付エンターテインメントデータを提供できることとなる。
【００１１】
また、本発明に係る情報配信装置（６）は、上記情報配信装置（１）〜（５）のいずれかにおいて、前記配信手段が、予め区分された領域内を通信可能領域とする複数の領域内通信手段と、前記配信データを配信領域の前記領域内通信手段から送信させる送信配分手段とを備えていることを特徴としている。
上記本発明に係る情報配信装置（６）によれば、前記複数の領域内通信手段により特定領域への広報付エンターテインメントデータの提供が可能となる。
【００１２】
また、本発明に係る情報配信装置（７）は、上記情報配信装置（１）〜（５）のいずれかにおいて、前記配信手段が、端末からの端末位置情報を受信する端末位置情報受信手段と、該端末位置情報受信手段により受信した端末位置情報に基づいて該当領域を判別する該当領域判別手段と、該該当領域判別手段により判別された領域に対応する配信データを前記端末に配信する端末配信手段とを備えていることを特徴としている。
【００１３】
上記本発明に係る情報配信装置（７）によれば、端末から送出される端末の位置情報に基づいて端末が特定領域にいるかどうかを確認して広報付エンターテインメントデータを提供することができるので、特定領域に存在している端末への広報付エンターテインメントデータの提供が可能となり、また端末からの情報送信に基づいて配信が行われるので、エンターテインメントデータを必要とする可能性の高いユーザへの配信となり、より宣伝効率を高めた配信とすることができる。
【００１４】
また、本発明に係る情報配信装置（８）は、上記情報配信装置（７）において、前記配信データに端末に応じた暗号化処理を施す暗号化処理手段を備えていることを特徴としている。
上記本発明に係る情報配信装置（８）によれば、暗号化処理により、より確実に該当する端末にのみ広報付エンターテインメントデータを提供することが可能となる。
【００１５】
また、本発明に係る情報配信装置（９）は、上記情報配信装置（１）〜（５）のいずれかにおいて、前記配信手段が、目的地までの経路案内を行うナビゲーション装置からの目的地情報を受信する目的地情報受信手段と、前記目的地情報受信手段を介して受信した目的地情報に基づいて該当領域を判別する該当領域判別手段と、該該当領域判別手段により判別された領域に対応する配信データを前記ナビゲーション装置に配信するナビ配信手段とを備えていることを特徴としている。
上記本発明に係る情報配信装置（９）によれば、宣伝効果の高いと考えられる特定領域へ行くユーザに対して効率的に広報付エンターテインメントデータを提供することが可能となる。
【００１６】
また、本発明に係る情報配信装置（１０）は、上記情報配信装置（１）〜（５）のいずれかにおいて、前記配信手段が、目的地までの経路案内を行うナビゲーション装置からの目的地までの経路情報を受信する経路情報受信手段と、該経路情報受信手段により受信した経路情報に基づいて該当領域を判別する該当領域判別手段と、該該当領域判別手段により判別された領域に対応する配信データを前記ナビゲーション装置に配信するナビ配信手段とを備えていることを特徴としている。
上記本発明に係る情報配信装置（１０）によれば、宣伝効果の高いと考えられる特定領域を通行するユーザに対して効率的に広報付エンターテインメントデータを提供することが可能となる。
【００１７】
また、本発明に係る情報配信装置（１１）は、上記情報配信装置（１）〜（９）のいずれかにおいて、通信回線にて接続された端末装置に、配信領域等の配信条件を設定するためのプログラムを送信するプログラム送信手段を備えていることを特徴としている。
上記本発明に係る情報配信装置（１１）によれば、ユーザは前記端末装置により簡単な操作で広報付エンターテインメントデータの提供を受けることが可能となり、換言すれば、広告主側は簡単に、また迅速に広報付エンターテインメントデータの配信を行うこと、つまりスポンサーになることが可能となる。
【発明を実施するための最良の形態】
【００１８】
以下、本発明の実施の形態を図面に基づいて説明する。図１は本発明の実施の形態に係る音楽配信システムの全体構成を示すシステム構成図である。音楽配信システムは、音楽データを提供する音楽情報提供者のコンテンツサーバ２１と、広告情報と音楽データを合成しユーザに配信する音楽配信装置１、この音楽配信装置１から配信される音楽を再生する再生装置（本実施の形態では、経路案内機能を有するナビゲーション装置と一体化した複合機）２、スポンサーが音楽の配信条件を設定するインターネット端末２２を含んで構成されている。尚、本例では説明を分かりやすくするために音楽配信の場合を例に挙げて説明するが、映像配信等、他の情報の配信にももちろん適用可能である。
【００１９】
センター制御部７は、音楽配信装置１の制御を行うもので、マイクロコンピュータ等により構成されている。配信データベース３は、音楽等の配信サービスを行っている他のデータベース、つまり情報提供者のコンテンツサーバ２１に関するデータを記憶するデータベースで、どの曲をどこのコンテンツサーバ２１が記憶し、提供しているか等のデータや、各曲の配信状況、例えばどの曲をいつ、何回配信したか等を記憶するデータベースであり、ハードディスク等により構成されている。そして、センター制御部７は、これらデータを用いて、提供する音楽データを外部のコンテンツサーバ２１から取込んだり、配信状況に応じた外部のコンテンツサーバ２１（情報提供者）への支払料金の算出を行う。
【００２０】
サービスデータ管理データベース４は、配信する音楽、配信領域、広告（広報）情報、の関係を記憶するデータベースで、ハードディスク等により構成されている。そして、センター制御部７は、これらデータを用いて、提供する音楽データと広告情報を特定して配信データを生成し、該当する領域にその配信データを配信する制御を行う。
【００２１】
地図・エリア情報データベース５は、地図やエリアの情報を、緯度・経度情報と関連づけて記憶するデータベースで、ハードディスク等により構成されている。そして、センター制御部７は、これらデータを用いて、自動車（音楽配信先のユーザ端末）の領域の識別、配信用の通信装置の選択等を行う。
【００２２】
契約管理データベース６は、各配信のスポンサーとの契約内容を記憶するデータベースで、ハードディスク等により構成されている。そして、センター制御部７は、これらデータを用いて、提供する音楽データと広告情報の特定、配信領域・期間・時間帯等の決定をし、またスポンサー料の算出等を行う。
【００２３】
また、インターネット接続制御部８は、音楽配信装置１をインターネット回線網２０に接続し、コンテンツサーバ２１、インターネット端末２２との通信を可能とする。コンテンツサーバ２１はサーバコンピュータ、インターネット端末２２はパーソナルコンピュータ等により構成されている。無線通信部９は、音楽データの配信等、再生装置２との通信を行う無線通信機であり、ＯＦＤＭ等のディジタル信号伝送方式を用いたディジタルデータ通信機により構成されている。
【００２４】
次に、再生装置２について説明する。端末制御部１１は、再生装置２の制御を行うもので、マイクロコンピュータ等により構成されている。無線通信部１０は、音楽データの受信、自身の位置データの送信等、音楽配信装置１との通信を行う無線通信機であり、ＯＦＤＭ等のディジタル信号伝送方式を用いたディジタルデータ通信機により構成されている。位置取得部１２は、再生装置２の位置を検出するもので、ＧＰＳ受信装置等により構成されている。データ記憶部１３は、無線通信部１０で受信した音楽データや広告情報、ナビゲーション用の地図データ等のナビゲーションデータ、音楽配信のサービスエリア情報等の各種データを記憶するもので、ハードディスク装置等により構成されている。
【００２５】
再生処理部１４は、データ記憶部に記憶された音楽データの再生や広告情報の表示・音声出力を行うもので、ディジタルシグナルプロセッサー等で構成され、データのデコード、アナログ信号化等の処理を行う。音声出力部１５は、音声増幅回路、スピーカ等により構成され、再生処理部１４からの音声信号を音声として出力する。操作部１６は、ユーザが動作指示のために操作するもので、スイッチ等により構成されている。また、表示部１７は、液晶表示装置等により構成され、再生処理部１４からの映像信号に対応する映像を表示するようになっている。
【００２６】
次に、音楽配信の基本的動作（Ａ領域への音楽配信の例）について説明する。センター制御部７は、契約管理データベース６からＡ領域に関する契約内容を読み込む。そして、契約内容における配信曲のデータを取得するために、配信データデータベース３を用いてその曲を提供しているコンテンツサーバ２１を検索し、インターネット回線網２０を介して該当コンテンツサーバ２１に接続して配信すべき音楽データを入手し、サービスデータ管理データベース４に記憶する。またサービスデータ管理データベース４に記憶されたＡ領域に関する契約内容に基づく広告データを検索し、これを入手した音楽データと合成して配信する配信データを生成する。次に、地図・エリア情報データベース５に記憶されたデータに基づいて、Ａ領域に配信するための処理を行い、無線通信部９を介して再生装置２に配信データを送信する。すると、再生装置２では、受信した配信データに基づいて音楽再生および広告情報の表示・音声出力が行われる。
【００２７】
図２は、本実施の形態における音楽配信のイメージを表示する動作イメージ図である。この例では、配信契約Ａが、契約区間：名神高速／京都南−豊中、契約者：富士通テン、契約期間：２００４／０１／０１〜２００４／０３／３１、契約時間：毎日／全日、契約（配信）曲：アーティストＡ，曲名ａ１、契約料：Ｂ円である。
【００２８】
配信契約Ｂが、契約区間：名神高速／西宮−豊中、契約者：スーパーテン、契約期間：２００４／０２／０１〜２００４／０４／３１、契約時間：平日／１０：００から１７：００、契約曲：アーティストＣ，曲名ｃ１、契約料：Ｄ円である。
【００２９】
従って、契約期間・契約時間内に、その区間内を走行する自動車に搭載された再生装置２では、例えば京都南ＩＣ−豊中ＩＣ間走行中は曲ａ１が再生され、また豊中ＩＣ−西宮ＩＣ間走行中は曲ｃ１が再生されることになる。
【００３０】
次に、インターネット端末２２による音楽配信条件の設定に付いて説明する。図３は、音楽配信条件の設定画面で、この画面で必要データを入力することにより、契約条件として契約管理データベース５にその内容が記憶される。尚、この入力画面のプログラムは、インターネットで用いられている技術により、音楽配信装置１に接続することによりインターネット端末２２に提供される。
【００３１】
設定画面には、契約区間、契約者、契約期間、契約時間、契約曲のアーティストおよび曲名の入力欄が設けられ、ユーザ（広告主）がこれら欄に必要事項をキーボード等を用いて入力することにより、それら音楽配信条件が音楽配信装置１に送信される。尚、契約料については、条件から自動計算され、契約料欄に表示される。
【００３２】
図９は、契約管理データベース６に記憶された料金計算用のデータを示すデータ図である。領域料金データは、道路、区間、曜日、時間帯毎における単位配信期間（１カ月）当たりの料金のレコード群からなっており、契約条件における道路、区間、曜日、時間帯の単位料金に、配信時間（Ｘ時間）および期間（Ｙカ月）を積算することにより料金が算出される。尚、再生装置２毎に配信する例の場合は、配信実績を把握できるので、その実績に応じて、つまり例えば単位料金と配信回数の積算により料金を算出することも可能である。
【００３３】
次に領域に応じて配信する方法について説明する。図４は配信方法を示す説明図、図５はセンター制御部７および端末制御部１１の行う処理を示すフローチャートであり、これら処理は各装置稼働中、繰り返し実行される。
【００３４】
図４に示した方法では、再生装置２（移動端末Ｘ）が自己の位置データ（緯度，経度データ）を音楽配信装置１に送信する。音楽配信装置１は、受信した再生装置２の位置データから領域を判断し、それに応じた配信データ（音楽データ＋広告情報）を生成して、更に再生装置２の識別コードを付加して送信する。再生装置２では、配信データを受信し、付加された識別コードが自己の識別コードであると判断すれば、音楽の再生および広告情報の表示・音声出力を行う。音楽配信装置１側で配信データに再生装置２が持つ解読コードに対応した暗号化処理を施し、該当再生装置２で暗号化処理された配信データの解読を行うようにすれば、より確実に特定再生装置に対する音楽配信を行うことができる。
【００３５】
次に、このような動作を実現するために、センター制御部７および端末制御部１１の行う処理について説明する。
先ず、端末制御部１１について説明する。ステップＳ１では、音楽配信のサービス領域に入っているか否かを判断し、領域内であると判断すればステップＳ２に移り、領域外であると判断すれば処理を終える。尚、サービス領域の判断は、データ記憶部１３に記憶された音楽配信サービスエリアデータと位置取得部１２により検出された位置により判断する。ステップＳ２では、自己の位置データを音楽配信装置１に送信し、ステップＳ３に移る。ステップＳ３では、配信データを受信したか否かを判断し、受信したと判断すればステップＳ４に移り、受信していないと判断すればステップＳ１に戻る。ステップＳ４では、配信データを受信した旨とその内容の一部を表示（または音声出力）し、ステップＳ５に移る。ステップＳ５では、ユーザによる配信音楽の再生指示操作の有無を判断し（所定時間判断を繰り返す）、操作があったと判断すればステップＳ６に移り、所定時間操作が無ければ処理を終える。ステップＳ６では配信音楽の再生および広報情報の報知を行い、処理を終える。
【００３６】
次に、センター制御部７について説明する。ステップＳ１１では、再生装置２の位置データを受信したか否かを判断し、受信したと判断すればステップＳ１２に移り、受信していないと判断すれば処理を終える。ステップＳ１２では、再生装置２の位置データに対応する領域から、該当の広告データと音楽データを検索し、ステップＳ１３に移る。ステップＳ１３では、検索した広告データと音楽データとを合成し、配信する配信データを生成し、ステップＳ１４に移る。ステップＳ１４では、配信データを該当する再生装置２に送信し、処理を終える。
【００３７】
次に、本発明の別の実施の形態について説明する。本例は再生装置２の位置ではなく、再生装置２におけるナビゲーション機能で設定された目的地（経路案内の目的地）が存在する領域に対応する音楽データを配信するもので、上述の実施の形態とは、主にセンター制御部７および端末制御部１１の行う処理が異なるので、同じ部分については同じ番号・記号を付し、説明を省略する。
【００３８】
図６は、センター制御部７および端末制御部１１の行う処理を示すフローチャートであり、これら処理は各装置の稼働中、繰り返し実行される。
【００３９】
先ず、端末制御部１１について説明する。ステップＳ３１では、経路案内の目的地が音楽配信のサービス領域か否かを判断し、領域内であると判断すればステップＳ３２に移り、領域外であると判断すれば処理を終える。尚、サービス領域の判断は、データ記憶部１３に記憶された音楽配信サービスエリアデータとユーザにより設定された目的地の位置により判断する。ステップＳ３２では、目的地の位置データを音楽配信装置１に送信し、ステップＳ３に移る。ステップＳ３では、配信データを受信したか否かを判断し、受信したと判断すればステップＳ４に移り、受信していないと判断すればステップＳ３１に戻る。ステップＳ４では、配信データを受信した旨とその内容の一部を表示（または音声出力）し、ステップＳ５に移る。ステップＳ５では、ユーザによる配信音楽の再生指示操作の有無を判断し（所定時間判断を繰り返す）、操作があったと判断すればステップＳ６に移り、所定時間操作が無ければ処理を終える。ステップＳ６では配信音楽の再生および広報情報の報知を行い、処理を終える。
【００４０】
次に、センター制御部７について説明するが、センター制御部７が行う処理自体は図５に示した処理と同じである。ステップＳ３３では、再生装置２の目的地の位置データを受信したか否かを判断し、受信したと判断すればステップＳ１２に移り、受信していないと判断すれば処理を終える。ステップＳ１２では、再生装置２から送信された位置データに対応する領域から、該当の広告データと音楽データを検索し、ステップＳ１３に移る。ステップＳ１３では、検索した広告データと音楽データとを合成し、配信する配信データを生成し、ステップＳ１４に移る。ステップＳ１４では、配信データを該当する再生装置２に送信し、処理を終える。
【００４１】
次に、本発明の更に別の実施の形態について説明する。本例は再生装置２の位置ではなく、再生装置２におけるナビゲーション機能で探索された目的地までの経路が存在する領域に対応する音楽データを配信するもので、上述の実施の形態とは、主にセンター制御部７および端末制御部１１の行う処理が異なるので、同じ部分については同じ符号を付し、その説明を省略する。
【００４２】
図７は、センター制御部７および端末制御部１１の行う処理を示すフローチャートであり、これら処理は各装置の稼働中、繰り返し実行される。
先ず、端末制御部１１について説明する。ステップＳ４１では、目的地までの経路が音楽配信のサービス領域にあるか否かを判断し、領域内にあると判断すればステップＳ４２に移り、領域外であると判断すれば処理を終える。尚、サービス領域の判断は、データ記憶部１３に記憶された音楽配信サービスエリアデータと探索された経路の各地点（例えば所定距離間隔の位置）の位置により判断する。ステップＳ４２では、経路の位置データ（例えば所定距離毎の位置）を音楽配信装置に送信し、ステップＳ３に移る。ステップＳ３では、配信データを受信したか否かを判断し、受信したと判断すればステップＳ４に移り、受信していないと判断すればステップＳ４１に戻る。ステップＳ４では、配信データの受信した旨とその内容の一部を表示（または音声出力）し、ステップＳ５に移る。ステップＳ５では、ユーザによる配信音楽の再生指示操作の有無を判断し（所定時間判断を繰り返す）、操作があったと判断すればステップＳ６に移り、所定時間操作が無ければ処理を終える。ステップＳ６では配信音楽の再生および広報情報の報知を行い、処理を終える。
【００４３】
次に、センター制御部７について説明する。ステップＳ４３では、再生装置２からの経路の位置データを受信したか否かを判断し、受信したと判断すればステップＳ４４に移り、受信していないと判断すれば処理を終える。ステップＳ４４では、受信した位置データ（複数）に対応する領域から、該当の広告データ（複数）と音楽データ（複数）を検索し、ステップＳ４５に移る。ステップＳ４５では、検索した各領域に対する広報データと音楽データとを合成し、配信する配信データを生成し、ステップＳ４６に移る。ステップＳ４６では、配信データを該当する再生装置２に送信し、処理を終える。
【００４４】
次に領域に応じて配信する別の方法について説明する。図８は配信方法を示す説明図である。図８に示した方法では、各領域に各領域を略通信可能領域とする中継局ｘ−ｙを設置する。そして、センター（音楽配信装置１）からは、各領域に対応する配信データ（配信音楽データ＋広告情報）を各該当の中継局ｘ−ｙに伝送し（有線伝送または無線伝送）、各中継局ｘ−ｙから対応する領域ｘ−ｙに存在する再生装置（移動端末Ｘ）２に配信データを送信する。尚、中継局ｘ−ｙは送信電波の電力、指向性の調整により、通信可能領域が略該領域となっている。この方法では、再生装置２と音楽配信装置１の連携動作は必要無く、基本的には音楽配信装置１から一方的に配信データを送信するだけで実現可能である。
【図面の簡単な説明】
【００４５】
【図１】本発明の実施の形態に係る音楽配信システムの全体構成を示すシステム構成ブロック図である。
【図２】本発明に係る実施の形態における音楽配信のイメージを表示する動作イメージ図である。
【図３】音楽配信条件の設定画面を示す画面イメージ図である。
【図４】本発明の実施の形態に係る配信方法を示す説明図である。
【図５】センター制御部および端末制御部の行う処理を示すフローチャートである。
【図６】センター制御部および端末制御部の行う処理を示すフローチャートである。
【図７】センター制御部および端末制御部の行う処理を示すフローチャートである。
【図８】本発明の別の実施の形態に係る配信方法を示す説明図である。
【図９】契約管理データベースに記憶された料金計算用のデータを示すデータ図である。
【符号の説明】
【００４６】
１・・・音楽配信装置
２・・・再生装置
３・・・配信データベース
４・・・サービスデータ管理データベース
５・・・地図・エリア情報データベース
６・・・契約管理データベース
７・・・センター制御部
【図１】
2006107149.tif 000003
【図２】
2006107149.tif 000004
【図３】
2006107149.tif 000005
【図４】
2006107149.tif 000006
【図５】
2006107149.tif 000007
【図６】
2006107149.tif 000008
【図７】
2006107149.tif 000009
【図８】
2006107149.tif 000010
【図９】
2006107149.tif 000011